(57)【要約】      （修正有）【課題】パーマ施術の簡易性と、髪に優しく、かかりの良いヘアカーラの構造を提供する。【解決手段】可撓性のヘアカーラ本体１に設けた発熱体２、発熱体に接続したコード線３、及びコード線に設けた電源接続部５でなる可撓性を備えたヘアカーラＡで、このヘアカーラは、ロッドに捲装した毛髪に加圧することなく、ロッドに捲装した毛髪を套嵌保持し、加圧をしない套嵌保持は、ヘアカーラ本体の可撓性によって可能とする構成とした。【選択図】図１
2008237887.tif 000002
【特許請求の範囲】
【請求項１】
可撓性のヘアカーラ本体、及びこのヘアカーラ本体に設けた発熱体、並びにこの発熱体に接続したコード線、及びこのコード線に設けた電源接続部でなる可撓性を備えたヘアカーラであって、
このヘアカーラは、ロッドに捲装した毛髪に加圧することなく、ロッドに捲装した毛髪を套嵌保持し、この加圧をしない套嵌保持は、前記ヘアカーラ本体の可撓性によって可能とする構成としたヘアカーラの構造。
【請求項２】
請求項１に記載のヘアカーラの構造は、
前記ロッドに捲装した毛髪に加圧することなく、ヘアカーラでロッドに捲装された毛髪を套嵌保持するに際し、このロッドと毛髪を緊結するゴムを利用する構成であって、
このゴムに可撓性の樹脂性シートの先端部を差込み、この樹脂性シートで、この毛髪とロッドを被嵌し、この樹脂性シートの上に、前記ヘアカーラを套嵌する構成としたヘアカーラの構造。
【請求項３】
請求項１に記載のヘアカーラの構造は、
前記ヘアカーラ本体を、可撓性樹脂で構成し、この可撓性樹脂のヘアカーラ本体が、自由端方向に復帰する構成としたヘアカーラの構造。
【請求項４】
請求項１に記載のヘアカーラの構造は、
前記ヘアカーラ本体を可撓性樹脂で構成し、この可撓性樹脂のヘアカーラ本体の内側に、可撓性の樹脂シートに発熱体を埋設した発熱シートを添着する構成としたヘアカーラの構造。
【請求項５】
請求項１に記載のヘアカーラの構造は、
前記ヘアカーラ本体に、対の摘みを適宜間隔で設けるとともに、この間隔に、前記発熱体に接続したコード線を設ける構成としたヘアカーラの構造。
【発明の詳細な説明】
【技術分野】
【０００１】
本発明は、パーマ及び／又はカール用（以下、パーマとする）のヘアカーラの構造（ヘアカーラの構造とする）であって、ロッドに捲装した毛髪に、加圧することなく套嵌保持可能とすることを特徴とした発熱体を設けたヘアカーラの構造に関する。
【背景技術】
【０００２】
従来のヘアカーラの構造としては、次のような構造が、一般的であるので、その構成を概述する。筒状のロッドには、発熱体が埋設されている。このロッドに毛髪を捲装し、この捲装した毛髪の上に挟み具（結束具）、又はゴム等のバンドを取付け固定し、前記ロッドと毛髪とを一体化した状態で術法（施術）する。この術法としては、単にカールする術法と、また２液式等の薬液でパーマをかける術法がある。そして、このパーマをかける術法は、ロッドと毛髪とを一体的に固定した後に、この捲装した毛髪の上に、防湿材、防熱材（断熱材）等の補助部材を外嵌し、加温・加湿しながらパーマをかける構造が好評を博している。その理由は、毛髪に優しく、かつ仕上がりのしっとり感のあるパーマが楽しめることにある。
【０００３】
以上のように進化したパーマの術法であっても、各人の好みと、髪の状態に合うことは難しく、また、毛髪に優しく、かつ各顧客の満足するパーマ等を施すには至っていないこと、そして、店側や美容師、また顧客等が希望する、簡単な操作を介したパーマの術法、又は加温の程度を適宜制御できることと、加温の浪費を少なくし、省電力が図れる術法が、強く希望されている。
【０００４】
そして、これらの幾多の要望を満足する構造及び／又は術法は、未だ充分とは云えずその改良が望まれている。この改良の一環として、先行文献を、以下に列挙する。
【０００５】
文献（１）は、実開昭４９−３７１８３号の「毛髪のカール装置」の考案であり、その要旨は、筒状ローラに、毛髪を捲装した状態で、発熱体を配設した筒状カバーを弾着し、発熱体の発熱を介して、捲装した毛髪を加熱し、カールする構造であり、毛髪を傷めずに強いカールを短時間に施術できる特徴がある。この考案は、発熱体が、筒状カバーの内側に露出する構造を採用することから、筒状ローラの構造が限定される。即ち、この筒状ローラは、吸湿層を有することが不可欠であり、仮に、この筒状ローラが、吸湿層を有さない構造であれば、毛髪に、直接、発熱体の熱がかかり、毛髪へのダメージが大きく、お客様からの苦情の要因になることが、容易に考えられる。以上のことから、この文献（１）は、有効であるが、筒状ローラに対する限定があり、また、従来の術法と異なり、戸惑いを感ずることが考えられることから、改良の余地がある。
【０００６】
また文献（２）は、特開２００１−１３７０４０の「髪パーマ用器具と、そのカーラ布及びカーラ」の発明であり、その要旨は、カーラ布に発熱体を付設し、このカーラ布を、カーラ本体に捲装して施術する構造であり、このカーラ布に接続したコードを介して発熱することを特徴とする。従って、パーマの施術の簡便化、スピード化を図りつつ、持続性の優れたカール、ウエーブを付与できること、又は布地の柔らかさと、カーラの外形変化を利用し、多様なカール、ウエーブが楽しめる特徴がある。しかし、この文献（２）は、毛髪を捲装するに際し、毛髪及び／又はカールの全体を外嵌する構造でないことから、カール、ウエーブ（以下、原則としてカールとする）の均一性が望めず、かつ好みの状態に施術するには問題を抱えている。そして、また、カールの始まり箇所（ゴムの取付け箇所等）の毛髪にカーラ布の発熱体が直接当たり、ダメージを与えたり、希望しない癖が付く虞があり問題を抱えている。尚、この文献（２）は、カール布を採用する構造であり、柔軟性という特徴を有する反面、柔軟であることから、従来の術法と異なり、戸惑いを感ずること、また、その施術作業において、固定が面倒なため、熟練と、余分の手間を要することから、改良の余地がある。
【０００７】
また文献（３）は、特開２００３−１０２５３４の「パーマ装置」の発明であり、その要旨は、カーラと、このカーラに挟み付けられる挾み具と、この挾み具に設けた発熱体と、この発熱体に接続したコードとで構成したクリップ方式であり、巻き髪（捲装した毛髪）を、直接挾み具で挾むことで、効果の優れたカール、ウエーブを付与すること、またセラミック粒子の発熱効果を利用すること等を特徴とする。しかし、この文献（３）は、クリップ方式であり、捲装した毛髪に対して充分な加熱ができず、例えば、挟み付けができない箇所（未クリップ部）へのカールが付与できないので、カールの均一性が望めず、かつ好みの状態に施術するには問題を抱えている。そして、また、カールの始まり箇所に、ダメージを与える虞があり問題を抱えている。また、この文献（３）は、毛髪を強制的に、かつ所定の圧力で、挟み付ける術法であり、場合により、毛髪へのダメージが大きく、お客様からの苦情の要因になることも考えられる。
【０００８】
さらに、文献（４）は、特開２００６−２３０５３８の「パーマネントウエーブの方法」の発明であり、その要旨は、発熱装置を備えたロッドで、毛髪を加熱して施術するパーマであって、捲装前の毛髪にパーマ第１剤を塗布し、パーマ第１剤の促進処理を行い、その後、このパーマ第１剤を洗い流し、続いて、毛髪をロッドに巻き付けるワインディングを施した後に、ロッドの加熱を介して、捲装した毛髪を加熱する。そして、その後、ロッドアウトした毛髪にパーマ第２剤を塗布してパーマ第２剤による毛髪処理を行い、間接加熱処理促進機を採用することで、良好なカールを形成できることを特徴とする。しかし、この文献（４）は、ロッドと頭皮との間に、間隔保持部を設ける構造であり、従来の術法と異なり、戸惑いを感ずること、また、その施術作業において、熟練と、余分の手間を要することから、改良の余地がある。そして、この文献（４）は、ロッドの加熱を介して、捲装した毛髪を加熱する構造であり、毛髪に最もダメージを受け易い、先端部へのダメージが大きく、問題を抱えている。
【０００９】
【特許文献１】実開昭４９−３７１８３号
【特許文献２】特開２００１−１３７０４０
【特許文献３】特開２００３−１０２５３４
【特許文献４】特開２００６−２３０５３８
【発明の開示】
【発明が解決しようとする課題】
【００１０】
上記に鑑み、本発明は、新規な構造を採用することで、次のような特徴を発揮することを意図する。
【００１１】
［イ］  ヘアカーラは、そのヘアカーラ本体の可撓性を介して、ロッドに捲装された毛髪に加圧することなく、ロッドに捲装した毛髪を套嵌保持できること、
［ロ］  ヘアカーラは、ロッドに捲装した毛髪に加圧することなく、ロッドに捲装した毛髪を套嵌保持し、毛髪に、ダメージを与えることなく、所望するパーマを施術できること、
［ハ］  ロッドと毛髪を緊結するゴムを利用し、このゴムに可撓性の樹脂性シートの先端部を差込み、この樹脂性シートで、この毛髪とロッドを被嵌し、この樹脂性シートの上に、ヘアカーラを套嵌する構成とし、ヘアカーラの熱が直接毛髪に伝わることを防ぎ、また、髪の湿度が蒸発することを防ぐことで、適度の温湿度を保ち、パーマの施術ができるヘアカーラを提供すること、
［ニ］  ロッドと毛髪を緊結するゴムに、可撓性の樹脂性シートの先端部を差込み、この樹脂性シートで毛髪を被嵌する構造とし、ゴムやヘアカーラによるウエーブの押え込み（カールの始まり箇所に希望しない癖が付く）を回避し、このウエーブの乱れを回避すること、
［ホ］  ヘアカーラ本体を、可撓性樹脂で構成し、この可撓性樹脂のヘアカーラ本体の内側に、可撓性の樹脂シートに発熱体を設けた発熱シートを添着する構成とし、簡易、かつ低コストで製造・修理可能な構造のヘアカーラを提供すること、
［へ］  樹脂性シートを使用することにより、ヘアカーラへのパーマ液、リンス液等（液とする）の付着・人（皮膚の汗腺や皮脂腺からの分泌物、垢等）及び／又は毛髪（分泌物、フケ、汚れ等）等による汚れ及び／又は病気の感染防止と、又は毛髪の加湿及び／又はパーマのかかりを良くすること、並びにこのヘアカーラへの液の付着による劣化等の弊害回避と、漏電防止、その他の事故防止等が図れる実益がある。そして、この樹脂性シートを透明にすることで、毛髪の湿り状態、液の付着状態、又はパーマのかかり具合等をチェックでき、有益であること、
［ト］  ヘアカーラ本体に、対の摘みを適宜間隔で設け、この間隔に、前記発熱体に接続したコード線を設ける構成によって、ヘアカーラ本体、コード線、並びに電源接続部等の取扱の容易化・簡便化を図り、かつコード線の断線（剪断）を防止すること、である。
【課題を解決するための手段】
【００１２】
請求項１の発明は、前述の［イ］、［ロ］を達成することを意図する。
【００１３】
請求項１は、可撓性のヘアカーラ本体、及びこのヘアカーラ本体に設けた発熱体、並びにこの発熱体に接続したコード線、及びこのコード線に設けた電源接続部でなる可撓性を備えたヘアカーラであって、
このヘアカーラは、ロッドに捲装した毛髪に加圧することなく、ロッドに捲装した毛髪を套嵌保持し、この加圧をしない套嵌保持は、前記ヘアカーラ本体の可撓性によって可能とする構成としたヘアカーラの構造である。
【００１４】
請求項２の発明は、前述の［ハ］、［ニ］を達成することを意図する。
【００１５】
請求項２は、請求項１に記載のヘアカーラの構造は、
前記ロッドに捲装した毛髪に加圧することなく、ヘアカーラでロッドに捲装された毛髪を套嵌保持するに際し、このロッドと毛髪を緊結するゴムを利用する構成であって、
このゴムに可撓性の樹脂性シートの先端部を差込み、この樹脂性シートで、この毛髪とロッドを被嵌し、この樹脂性シートの上に、前記ヘアカーラを套嵌する構成としたヘアカーラの構造である。
【００１６】
請求項３の発明は、前述の［イ］、［ロ］、［ニ］を達成することを意図する。
【００１７】
請求項３は、請求項１に記載のヘアカーラの構造は、
前記ヘアカーラ本体を、可撓性樹脂で構成し、この可撓性樹脂のヘアカーラ本体が、自由端方向に復帰する構成としたヘアカーラの構造である。
【００１８】
請求項４の発明は、前述の［ホ］を達成することを意図する。
【００１９】
請求項４は、請求項１に記載のヘアカーラの構造は、
前記ヘアカーラ本体を可撓性樹脂で構成し、この可撓性樹脂のヘアカーラ本体の内側に、可撓性の樹脂シートに発熱体を埋設した発熱シートを添着する構成としたヘアカーラの構造である。
【００２０】
請求項５の発明は、前述の［へ］、［ト］を達成することを意図する。
【００２１】
請求項５は、請求項１に記載のヘアカーラの構造は、
前記ヘアカーラ本体に、対の摘みを適宜間隔で設けるとともに、この間隔に、前記発熱体に接続したコード線を設ける構成としたヘアカーラの構造である。
【発明の効果】
【００２２】
請求項１の発明は、可撓性のヘアカーラ本体、及びヘアカーラ本体に設けた発熱体、並びに発熱体に接続したコード線、及びコード線に設けた電源接続部でなる可撓性を備えたヘアカーラであって、
ヘアカーラは、ロッドに捲装した毛髪に加圧することなく、ロッドに捲装した毛髪を套嵌保持し、この加圧をしない套嵌保持は、ヘアカーラ本体の可撓性によって可能とする構成としたヘアカーラの構造である。
【００２３】
従って、請求項１は、前述の［イ］、［ロ］を達成できる特徴がある。
【００２４】
請求項２の発明は、請求項１に記載のヘアカーラの構造は、
ロッドに捲装した毛髪に加圧することなく、ヘアカーラでロッドに捲装された毛髪を套嵌保持するに際し、ロッドと毛髪を緊結するゴムを利用する構成であって、
ゴムに可撓性の樹脂性シートの先端部を差込み、樹脂性シートで、毛髪とロッドを被嵌し、樹脂性シートの上に、ヘアカーラを套嵌する構成としたヘアカーラの構造である。
【００２５】
従って、請求項２は、前述の［ハ］、［ニ］を達成できる特徴がある。
【００２６】
請求項３の発明は、請求項１に記載のヘアカーラの構造は、
ヘアカーラ本体を、可撓性樹脂で構成し、可撓性樹脂のヘアカーラ本体が、自由端方向に復帰する構成としたヘアカーラの構造である。
【００２７】
従って、請求項３は、前述の［イ］、［ロ］、［ニ］を達成できる特徴がある。
【００２８】
請求項４の発明は、請求項１に記載のヘアカーラの構造は、
ヘアカーラ本体を可撓性樹脂で構成し、可撓性樹脂のヘアカーラ本体の内側に、可撓性の樹脂シートに発熱体を埋設した発熱シートを添着する構成としたヘアカーラの構造である。
【００２９】
従って、請求項４は、前述の［ホ］を達成できる特徴がある。
【００３０】
請求項５の発明は、請求項１に記載のヘアカーラの構造は、
ヘアカーラ本体に、対の摘みを適宜間隔で設けるとともに、間隔に、発熱体に接続したコード線を設ける構成としたヘアカーラの構造である。
【００３１】
従って、請求項５は、前述の［へ］、［ト］を達成できる特徴がある。
【発明を実施するための最良の形態】
【００３２】
以下、本発明の実施の態様（形態）を説明する。
【００３３】
図面の説明をすると、図１はヘアカーラの全体を示した斜視図、図２は樹脂性シートの全体を示した斜視図、図３はロッドに捲装した毛髪を加圧することなく、樹脂性シートを介して、ヘアカーラを、ロッドに捲装した毛髪に套嵌保持した状態の斜視図、図４は図３の要部拡大斜視図、図５−１は毛髪を湿らせ、紙を添着した状態の模式図、図５−２は、図５−１の状態を進め、ロッドに捲装する状態の側面図、図５−３は、図５−２の状態を進め、ロッドへの捲装が終了した状態の側面図、図５−４は、図５−３の状態において、樹脂性シートを差込む状態を示した側面図、図５−５は、図５−４の状態を進め、樹脂性シートを套嵌した状態の側面図、図５−６は、図５−５の状態において、毛髪、樹脂性シートに、ヘアカーラを套嵌保持する状態の側面図、図５−７は、図５−６の状態を進め、ヘアカーラを套嵌保持した状態の側面図、図６−１は毛髪に液を塗布し、ロッドに捲装する状態の模式図、図６−２は、図６−１の捲装後におけるロッド、並びに樹脂性シートと、ヘアカーラとの関係を示した側面図、図７は他のヘアカーラの全体を示した斜視図である。尚、樹脂性シートを使用した各実施例を示したが、必要により、この樹脂性シートは省略することも可能である。
【００３４】
図１〜図６−２に示したヘアカーラの構造を説明すると、１は一枚の樹脂素材で構成する可撓性のヘアカーラ本体であり、この一例では、一枚の樹脂素材の両側の自由端１ａが接離可能である（図５−６参照）。このヘアカーラ本体１には、発熱体２が設けられている（この一例では、発熱体２が、ヘアカーラ本体１に埋設されている）。そして、この発熱体２にはコード線３が接続されているとともに、このコード線３の自由端３ａには、電源接続部５が設けられる。また、このヘアカーラ本体１（後述するヘアカーラ）は、ロッド１０に捲装された人Ｈの毛髪Ｈ１に加圧することなく、ロッド１０に捲装された人Ｈの毛髪Ｈ１を套嵌保持できる可撓性を備えている。従って、少なくとも、前述の［イ］、［ロ］の効果を達成できる。さらに人Ｈに優しいヘアカーラを提供できる。尚、ヘアカーラ本体１の自由端１ａの反対側で、かつその外周面１ｂには、適宜間隔Ｓをもって、対の摘み６が設けられ、この間隔Ｓに、前記コード線３が設けられる構造とし、少なくとも、前述の［ト］の実益が図れる。また、材料の節約と、軽量化が図れる特徴と、又は使用が簡便で、人Ｈに優しい、ヘアカーラを提供できる。
【００３５】
前述したヘアカーラ本体１と、このヘアカーラ本体１に設けた発熱体２と、この発熱体２に接続したコード線３、並びにこのコード線３に接続した電源接続部５で、ヘアカーラＡを構成する。
【００３６】
図中８は可撓性の樹脂性シートで、その一方の先端部８ａが、差込み側として利用するために、細幅とするとともに、少し捻りを設けた構造である。従って、この細幅と、捻りを設けた構造を利用し、ロッド１０（加熱しないロッドであり、ミンクロッド、木製・樹脂性ロッド、ロングロッド、スリット付きロッド、穴開きロッド等の各種の構造及び／又は素材のロッドが採用できる）に毛髪Ｈ１を捲装した後に、このロッド１０と毛髪Ｈ１とを固定するゴム１１に、可撓性の樹脂性シート８の先端部８ａを差込み、樹脂性シート８で、毛髪Ｈ１とロッド１０を被嵌し、その上に、ヘアカーラＡを套嵌する施術方法である。従って、この樹脂性シート８を採用することで、前述の［ヘ］の効果であるヘアカーラＡへの液の付着・人Ｈ（皮膚の汗腺や皮脂腺からの分泌物、垢等）及び／又は毛髪Ｈ１（分泌物、フケ、汚れ等）等による汚れ及び／又は病気の感染防止と、又は毛髪Ｈ１の加湿及び／又はパーマのかかりを良くすること、並びにこのヘアカーラＡへの液の付着、前記汚れによる劣化等の弊害回避と、漏電防止、その他の事故防止等が図れる実益がある。そして、この樹脂性シート８を透明にすることで、毛髪Ｈ１の湿り状態、液の付着状態、又はパーマのかかり具合等をチェックでき、有益である。
【００３７】
次に、本発明の施術の好ましい一例を以下に説明すると、図５−１〜図５−７おいて、毛髪Ｈ１を湿らせて施術する場合には、湿らせた毛髪Ｈ１の先端部に、紙Ｂを添着し（毛髪Ｈ１がバラバラになることを防止し、かつ施術を簡易かつ確実にする）、その後、紙Ｂを基点にして、ロール１０に順次、捲装する状態を図５−２に示している。そして、このロッド１０への捲装が終了した状態が図５−３となる。続いて、毛髪Ｈ１とロッド１０を、ゴム１１で固定し、このゴム１１に、前述の如く、樹脂性シート８を差込み、かつ套嵌した状態が、図５−４〜図５−５に示されている。以上のようにして、毛髪Ｈ１に、樹脂性シート８を套嵌保持した後に、ヘアカーラＡで套嵌保持する状態が図５−６であり、その完了した状態で、かつ毛髪Ｈ１に加圧することなく、ヘアカーラ本体１（ヘアカーラＡ）の可撓性を介して、ロッド１０に捲装した毛髪Ｈ１を套嵌保持した状態が図５−７に示されているが、この際に、ヘアカーラ本体１の可撓性を介して、自由端１ａを矢印方向に拡開し、樹脂性シート８の上を、確実かつ僅かな指Ｈ３の力で、跨架できる特徴があり、美容師の疲労の軽減と、女子でも安全で容易な作業となり得る実益がある。また、ヘアカーラＡの対の摘み６を、それぞれ湾曲形状とする（湾曲形状部６ａを形成する）ことで、さらに指Ｈ３で摘み６を押圧しやすくなり、よりヘアカーラ本体１の自由端１ａを拡開しやすくなる。そして、その後の施術は、従来と同様であるが、場合により、ヘアカーラ本体１の外周面１ｂに、断熱材及び／又は断熱性シート（断熱材とする）を添着し、さらに湿度と温度が逃げるのを防ぐこともあり得る。そして、本発明では、ヘアカーラ本体１に可撓性を付与することと、その対の自由端１ａを確実に、樹脂性シート８で覆われロッド１０に捲装された毛髪Ｈ１に添接することで、加温（加熱）の向上と、漏熱・漏湿の防止と、施術の向上等を図り、資源の有効利用と、コストの低廉化を図ること等を意図する。そして、この特徴は、断熱材シートを添着する施術は、極めて、顕著であり、有益である。また、図６−１、図６−２おいて、毛髪Ｈ１に液の塗布を施して施術する場合には、図６−１の如く、紙Ｂを用いずに、液が付着した毛髪Ｈ１をロッド１０に順次捲装していき、図６−２に示した状態で完了であるが、その施術は、前述の図５−３〜図５−７に準ずる。
【００３８】
そして、本発明では、樹脂性シート８で被嵌され、毛髪Ｈ１を捲装したロッド１０の上からヘアカーラＡを套嵌保持することによって、毛髪Ｈ１を先端Ｈ１０から捲装するために、ヘアカーラＡの熱が直接毛髪Ｈ１の先端Ｈ１０に伝わることはなく、ロッド１０に最も近くに接する毛髪Ｈ１の先端Ｈ１０に対するダメージの回避、又はカールの過剰なかかりの回避と、頭皮Ｈ２に対する熱傷回避等が図れる実益がある。また、この捲装した毛髪Ｈ１の上に、樹脂シート８に替わり、ラップ、ビニール（図示せず）等の防湿材を一重又は多重に捲装し、その上に、ヘアカーラＡを介して熱が逃げたり湿度が乾燥することを防止し、適度の温湿度下において、パーマをかけ得ることも可能であって、低温での施術及び／又はコストの低廉化が図れること、さらには良質なカールを確保できること、又は毛髪Ｈ１に優しく、しっとり感のあるパーマが楽しめること、さらにパサつき、チリつきの解消に有効であり、良好なホット系パーマを楽しむことが可能となること、等の多くの特徴を有する。また、この例では、捲装した毛髪Ｈ１に対して、略均等及び／又は多段の加温調整ができ、かつ毛髪Ｈ１の全体にパーマが略均等に付与できること、またこの施術の特性及び／又は施術の特性を発揮することに、何ら不具合が発生しないこと、等の特徴がある。
【００３９】
尚、図示しないが、第一液を付着した毛髪Ｈ１をロッド１０に捲装し、その上から樹脂性シート８を介して、ヘアカーラ本体１（ヘアカーラＡ）を套嵌保持し、加温して第一処理をする。この第一処理をした毛髪Ｈ１に、テストカールをした後に、必要により、洗浄する。そして、その上に、ゴム１１を介して、樹脂性シート８を、この第一処理をした毛髪Ｈ１に套嵌保持する。そして、再度樹脂性シート８の上に、ヘアカーラ本体１を套嵌保持し、加温して、その後、第二液を塗布し、パーマを施術する方法も可能である。その効果は、前述の効果を一層、拡充することが可能となる。尚、図示しないが、毛髪Ｈ１の水分を蒸発させて、パーマを施術することも可能である。
【００４０】
また、コード線３に温度調整手段を付設し、各発熱体２の温度調整を図る構造、また電源接続部５を介して、コード線３に接続されるパーマ施術装置（図示せず）に設けた温度調整手段によって、発熱体２の温度調整を図る構造を自由に選択でき、又は毛髪Ｈ１の箇所、カールに強弱を付けること、又は各人の好みと、状況に対応したパーマが付与できること等の特徴がある。
【００４１】
そして、図７に示した一例は、可撓性のヘアカーラ本体１００（ヘアカーラ本体１と同じ樹脂素材とする）は、樹脂シート１０１に発熱体２を埋設した発熱シート１０２を添着した構造であり、前述の［ホ］を達成できる特徴がある。また、この発熱体２及び／又は発熱シート１０２が故障した場合に、簡易に取替え可能であり、重宝すること、又はこの発熱シート１０２を二層〜複数設ける構造とし、その加温調整と、スピード化を図ることも可能であり、重宝すること、等の実用性を備えている。そして、図示しないが、この添着方法では、可撓性のヘアカーラ本体１００と、発熱シート１０２との間に、断熱材を設けて、効率的な加温を行うことも可能であること、また、前述の効果が期待できること、等の点で、極めて、有益である。この一例におけるその他の施術は、前述の各例に準ずる。
【図面の簡単な説明】
【００４２】
【図１】図１はヘアカーラの全体を示した斜視図
【図２】図２は樹脂性シートの全体を示した斜視図
【図３】図３はロッドに捲装した毛髪を加圧することなく、樹脂性シートを介して、ヘアカーラを、ロッドに捲装した毛髪に套嵌保持した状態の斜視図
【図４】図４は図３の要部拡大斜視図
【図５−１】図５−１は毛髪を湿らせ、紙を添着した状態の模式図
【図５−２】図５−２は、図５−１の状態を進め、ロッドに捲装する状態の側面図
【図５−３】図５−３は、図５−２の状態を進め、ロッドへの捲装が終了した状態の側面図
【図５−４】図５−４は、図５−３の状態において、樹脂性シートを差込む状態を示した側面図
【図５−５】図５−４の状態を進め、樹脂性シートを套嵌した状態の側面図
【図５−６】図５−６は、図５−５の状態において、毛髪、樹脂性シートに、ヘアカーラを套嵌保持する状態の側面図
【図５−７】図５−７は、図５−６の状態を進め、ヘアカーラを套嵌保持した状態の側面図
【図６−１】図６−１は毛髪に液を塗布し、ロッドに捲装する状態の模式図
【図６−２】図６−２は、図６−１の捲装後におけるロッド、並びに樹脂性シートと、ヘアカーラとの関係を示した側面図
【図７】図７は他のヘアカーラの全体を示した斜視図
【符号の説明】
【００４３】
１              ヘアカーラ本体
１ａ            自由端
１ｂ            外周面
２              発熱体
３              コード線
３ａ            自由端
５              電源接続部
６              摘み
６ａ            湾曲形状部
８              樹脂性シート
８ａ            先端部
１０            ロッド
１１            ゴム
１００          ヘアカーラ
１０１          樹脂シート
１０２          発熱シート
Ａ              ヘアカーラ
Ｂ              紙
Ｈ              人
Ｈ１            毛髪
Ｈ１０          先端
Ｈ２            頭皮
Ｈ３            指
Ｓ              間隔
【図１】
2008237887.tif 000003
【図２】
2008237887.tif 000004
【図３】
2008237887.tif 000005
【図４】
2008237887.tif 000006
【図５−１】
2008237887.tif 000007
【図５−２】
2008237887.tif 000008
【図５−３】
2008237887.tif 000009
【図５−４】
2008237887.tif 000010
【図５−５】
2008237887.tif 000011
【図５−６】
2008237887.tif 000012
【図５−７】
2008237887.tif 000013
【図６−１】
2008237887.tif 000014
【図６−２】
2008237887.tif 000015
【図７】
2008237887.tif 000016
【手続補正書】
【提出日】平成20年4月28日(2008.4.28)
【手続補正１】
【補正対象書類名】特許請求の範囲
【補正対象項目名】全文
【補正方法】変更
【補正の内容】
【特許請求の範囲】
【請求項１】
自由端が接離可能である可撓性のヘアカーラ本体、及びこのヘアカーラ本体に設けた発熱体、並びにこの発熱体に接続したコード線、及びこのコード線に設けた電源接続部でなる可撓性を備えたヘアカーラであって、
このヘアカーラは、ロッドに捲装した毛髪に加圧することなく、このロッドに捲装した毛髪を套嵌保持するに際し、このロッドと毛髪を緊結するゴムと、このゴムに差込まれる先端部を備えた可撓性の樹脂性シートを利用する構成とし、
この樹脂性シートの先端部を、前記ゴムに差込み、この樹脂性シートで、この毛髪とロッドを被嵌し、その上に、前記ヘアカーラを套嵌する構成としたヘアカーラの構造。
【請求項２】
請求項１に記載のヘアカーラの構造は、
前記ヘアカーラ本体を、可撓性樹脂で構成し、この可撓性樹脂のヘアカーラ本体が、自由端方向に復帰する構成としたヘアカーラの構造。
【請求項３】
請求項１に記載のヘアカーラの構造は、
前記樹脂性シートの一方の先端部を、前記ゴムに差込む構造とし、この一方の先端部を、全体の幅に対して、細幅とし、かつ少し捻りを設ける構成としたヘアカーラの構造。
【請求項４】
請求項１に記載のヘアカーラの構造は、
前記ヘアカーラ本体を可撓性樹脂で構成し、この可撓性樹脂のヘアカーラ本体の内側に、可撓性の樹脂シートに発熱体を埋設した発熱シートを添着する構成としたヘアカーラの構造。
【手続補正２】
【補正対象書類名】明細書
【補正対象項目名】全文
【補正方法】変更
【補正の内容】
【発明の詳細な説明】
【技術分野】
【０００１】
本発明は、パーマ及び／又はカール用（以下、パーマとする）のヘアカーラの構造（ヘアカーラの構造とする）であって、ロッドに捲装した毛髪に、加圧することなく套嵌保持可能とすることを特徴とした発熱体を設けたヘアカーラの構造に関する。
【背景技術】
【０００２】
従来のヘアカーラの構造としては、次のような構造が、一般的であるので、その構成を概述する。筒状のロッドには、発熱体が埋設されている。このロッドに毛髪を捲装し、この捲装した毛髪の上に挟み具（結束具）、又はゴム等のバンドを取付け固定し、前記ロッドと毛髪とを一体化した状態で術法（施術）する。この術法としては、単にカールする術法と、また２液式等の薬液でパーマをかける術法がある。そして、このパーマをかける術法は、ロッドと毛髪とを一体的に固定した後に、この捲装した毛髪の上に、防湿材、防熱材（断熱材）等の補助部材を外嵌し、加温・加湿しながらパーマをかける構造が好評を博している。その理由は、毛髪に優しく、かつ仕上がりのしっとり感のあるパーマが楽しめることにある。
【０００３】
以上のように進化したパーマの術法であっても、各人の好みと、髪の状態に合うことは難しく、また、毛髪に優しく、かつ各顧客の満足するパーマ等を施すには至っていないこと、そして、店側や美容師、また顧客等が希望する、簡単な操作を介したパーマの術法、又は加温の程度を適宜制御できることと、加温の浪費を少なくし、省電力が図れる術法が、強く希望されている。
【０００４】
そして、これらの幾多の要望を満足する構造及び／又は術法は、未だ充分とは云えずその改良が望まれている。この改良の一環として、先行文献を、以下に列挙する。
【０００５】
文献（１）は、実開昭４９−３７１８３号の「毛髪のカール装置」の考案であり、その要旨は、筒状ローラに、毛髪を捲装した状態で、発熱体を配設した筒状カバーを弾着し、発熱体の発熱を介して、捲装した毛髪を加熱し、カールする構造であり、毛髪を傷めずに強いカールを短時間に施術できる特徴がある。この考案は、発熱体が、筒状カバーの内側に露出する構造を採用することから、筒状ローラの構造が限定される。即ち、この筒状ローラは、吸湿層を有することが不可欠であり、仮に、この筒状ローラが、吸湿層を有さない構造であれば、毛髪に、直接、発熱体の熱がかかり、毛髪へのダメージが大きく、お客様からの苦情の要因になることが、容易に考えられる。以上のことから、この文献（１）は、有効であるが、筒状ローラに対する限定があり、また、従来の術法と異なり、戸惑いを感ずることが考えられることから、改良の余地がある。
【０００６】
また文献（２）は、特開２００１−１３７０４０の「髪パーマ用器具と、そのカーラ布及びカーラ」の発明であり、その要旨は、カーラ布に発熱体を付設し、このカーラ布を、カーラ本体に捲装して施術する構造であり、このカーラ布に接続したコードを介して発熱することを特徴とする。従って、パーマの施術の簡便化、スピード化を図りつつ、持続性の優れたカール、ウエーブを付与できること、又は布地の柔らかさと、カーラの外形変化を利用し、多様なカール、ウエーブが楽しめる特徴がある。しかし、この文献（２）は、毛髪を捲装するに際し、毛髪及び／又はカールの全体を外嵌する構造でないことから、カール、ウエーブ（以下、原則としてカールとする）の均一性が望めず、かつ好みの状態に施術するには問題を抱えている。そして、また、カールの始まり箇所（ゴムの取付け箇所等）の毛髪にカーラ布の発熱体が直接当たり、ダメージを与えたり、希望しない癖が付く虞があり問題を抱えている。尚、この文献（２）は、カール布を採用する構造であり、柔軟性という特徴を有する反面、柔軟であることから、従来の術法と異なり、戸惑いを感ずること、また、その施術作業において、固定が面倒なため、熟練と、余分の手間を要することから、改良の余地がある。
【０００７】
また文献（３）は、特開２００３−１０２５３４の「パーマ装置」の発明であり、その要旨は、カーラと、このカーラに挟み付けられる挾み具と、この挾み具に設けた発熱体と、この発熱体に接続したコードとで構成したクリップ方式であり、巻き髪（捲装した毛髪）を、直接挾み具で挾むことで、効果の優れたカール、ウエーブを付与すること、またセラミック粒子の発熱効果を利用すること等を特徴とする。しかし、この文献（３）は、クリップ方式であり、捲装した毛髪に対して充分な加熱ができず、例えば、挟み付けができない箇所（未クリップ部）へのカールが付与できないので、カールの均一性が望めず、かつ好みの状態に施術するには問題を抱えている。そして、また、カールの始まり箇所に、ダメージを与える虞があり問題を抱えている。また、この文献（３）は、毛髪を強制的に、かつ所定の圧力で、挟み付ける術法であり、場合により、毛髪へのダメージが大きく、お客様からの苦情の要因になることも考えられる。
【０００８】
さらに、文献（４）は、特開２００６−２３０５３８の「パーマネントウエーブの方法」の発明であり、その要旨は、発熱装置を備えたロッドで、毛髪を加熱して施術するパーマであって、捲装前の毛髪にパーマ第１剤を塗布し、パーマ第１剤の促進処理を行い、その後、このパーマ第１剤を洗い流し、続いて、毛髪をロッドに巻き付けるワインディングを施した後に、ロッドの加熱を介して、捲装した毛髪を加熱する。そして、その後、ロッドアウトした毛髪にパーマ第２剤を塗布してパーマ第２剤による毛髪処理を行い、間接加熱処理促進機を採用することで、良好なカールを形成できることを特徴とする。しかし、この文献（４）は、ロッドと頭皮との間に、間隔保持部を設ける構造であり、従来の術法と異なり、戸惑いを感ずること、また、その施術作業において、熟練と、余分の手間を要することから、改良の余地がある。そして、この文献（４）は、ロッドの加熱を介して、捲装した毛髪を加熱する構造であり、毛髪に最もダメージを受け易い、先端部へのダメージが大きく、問題を抱えている。
【０００９】
【特許文献１】実開昭４９−３７１８３号
【特許文献２】特開２００１−１３７０４０
【特許文献３】特開２００３−１０２５３４
【特許文献４】特開２００６−２３０５３８
【発明の開示】
【発明が解決しようとする課題】
【００１０】
上記に鑑み、本発明は、新規な構造を採用することで、次のような特徴を発揮することを意図する。
【００１１】
［イ］  ヘアカーラは、そのヘアカーラ本体の可撓性を介して、ロッドに捲装された毛髪に加圧することなく、ロッドに捲装した毛髪を套嵌保持できること、
［ロ］  ヘアカーラは、ロッドに捲装した毛髪に加圧することなく、ロッドに捲装した毛髪を套嵌保持し、毛髪に、ダメージを与えることなく、所望するパーマを施術できること、
［ハ］  ロッドと毛髪を緊結するゴムを利用し、このゴムに可撓性の樹脂性シートの先端部を差込み、この樹脂性シートで、この毛髪とロッドを被嵌し、この樹脂性シートの上に、ヘアカーラを套嵌する構成とし、ヘアカーラの熱が直接毛髪に伝わることを防ぎ、また、髪の湿度が蒸発することを防ぐことで、適度の温湿度を保ち、パーマの施術ができるヘアカーラを提供すること、
［ニ］  ロッドと毛髪を緊結するゴムに、可撓性の樹脂性シートの先端部を差込み、この樹脂性シートで毛髪を被嵌する構造とし、ゴムやヘアカーラによるウエーブの押え込み（カールの始まり箇所に希望しない癖が付く）を回避し、このウエーブの乱れを回避すること、
［ホ］  ヘアカーラ本体を、可撓性樹脂で構成し、この可撓性樹脂のヘアカーラ本体の内側に、可撓性の樹脂シートに発熱体を設けた発熱シートを添着する構成とし、簡易、かつ低コストで製造・修理可能な構造のヘアカーラを提供すること、
［へ］  樹脂性シートを使用することにより、ヘアカーラへのパーマ液、リンス液等（液とする）の付着・人（皮膚の汗腺や皮脂腺からの分泌物、垢等）及び／又は毛髪（分泌物、フケ、汚れ等）等による汚れ及び／又は病気の感染防止と、又は毛髪の加湿及び／又はパーマのかかりを良くすること、並びにこのヘアカーラへの液の付着による劣化等の弊害回避と、漏電防止、その他の事故防止等が図れる実益がある。そして、この樹脂性シートを透明にすることで、毛髪の湿り状態、液の付着状態、又はパーマのかかり具合等をチェックでき、有益であること、
［ト］樹脂性シートの細幅と、捻りを設けた構造を利用し、ロッドに毛髪を捲装した後に、このロッドと毛髪とを固定するゴムに、可撓性の樹脂性シートの先端部を差込み、樹脂性シートで、毛髪とロッドを被嵌し、その上に、ヘアカーラを套嵌する施術方法が可能となること、である。
【課題を解決するための手段】
【００１２】
請求項１の発明は、前述の［イ］、［ロ］、［ハ］、［へ］を達成することを意図する。
【００１３】
請求項１は、自由端が接離可能である可撓性のヘアカーラ本体、及びこのヘアカーラ本体に設けた発熱体、並びにこの発熱体に接続したコード線、及びこのコード線に設けた電源接続部でなる可撓性を備えたヘアカーラであって、
このヘアカーラは、ロッドに捲装した毛髪に加圧することなく、このロッドに捲装した毛髪を套嵌保持するに際し、このロッドと毛髪を緊結するゴムと、このゴムに差込まれる先端部を備えた可撓性の樹脂性シートを利用する構成とし、
この樹脂性シートの先端部を、前記ゴムに差込み、この樹脂性シートで、この毛髪とロッドを被嵌し、その上に、前記ヘアカーラを套嵌する構成としたヘアカーラの構造である。
【００１４】
請求項２の発明は、前述の［イ］、［ロ］を達成することを意図する。
【００１５】
請求項２は、請求項１に記載のヘアカーラの構造は、
前記ヘアカーラ本体を、可撓性樹脂で構成し、この可撓性樹脂のヘアカーラ本体が、自由端方向に復帰する構成としたヘアカーラの構造である。
【００１６】
請求項３の発明は、前述の［ハ］、［ニ］、［ヘ］、［ト］を達成することを意図する。
【００１７】
請求項３は、請求項１に記載のヘアカーラの構造は、
前記樹脂性シートの一方の先端部を、前記ゴムに差込む構造とし、この一方の先端部を、全体の幅に対して、細幅とし、かつ少し捻りを設ける構成としたヘアカーラの構造である。
【００１８】
請求項４の発明は、前述の［ホ］を達成することを意図する。
【００１９】
請求項４は、請求項１に記載のヘアカーラの構造は、
前記ヘアカーラ本体を可撓性樹脂で構成し、この可撓性樹脂のヘアカーラ本体の内側に、可撓性の樹脂シートに発熱体を埋設した発熱シートを添着する構成としたヘアカーラの構造である。
【発明の効果】
【００２０】
請求項１の発明は、自由端が接離可能である可撓性のヘアカーラ本体、及びヘアカーラ本体に設けた発熱体、並びに発熱体に接続したコード線、及びコード線に設けた電源接続部でなる可撓性を備えたヘアカーラであって、
このヘアカーラは、ロッドに捲装した毛髪に加圧することなく、このロッドに捲装した毛髪を套嵌保持するに際し、ロッドと毛髪を緊結するゴムと、ゴムに差込まれる先端部を備えた可撓性の樹脂性シートを利用する構成とし、
樹脂性シートの先端部を、ゴムに差込み、樹脂性シートで、毛髪とロッドを被嵌し、その上に、ヘアカーラを套嵌する構成としたヘアカーラの構造である。
【００２１】
従って、請求項１は、前述の［イ］、［ロ］、［ハ］、［へ］を達成できる特徴がある。
【００２２】
請求項２の発明は、請求項１に記載のヘアカーラの構造は、
ヘアカーラ本体を、可撓性樹脂で構成し、可撓性樹脂のヘアカーラ本体が、自由端方向に復帰する構成としたヘアカーラの構造である。
【００２３】
従って、請求項２は、前述の［イ］、［ロ］を達成できる特徴がある。
【００２４】
請求項３の発明は、請求項１に記載のヘアカーラの構造は、
樹脂性シートの一方の先端部を、ゴムに差込む構造とし、一方の先端部を、全体の幅に対して、細幅とし、かつ少し捻りを設ける構成としたヘアカーラの構造である。
【００２５】
従って、請求項３は、前述の［ハ］、［ニ］、［ヘ］、［ト］を達成できる特徴がある。
【００２６】
請求項４の発明は、請求項１に記載のヘアカーラの構造は、
ヘアカーラ本体を可撓性樹脂で構成し、可撓性樹脂のヘアカーラ本体の内側に、可撓性の樹脂シートに発熱体を埋設した発熱シートを添着する構成としたヘアカーラの構造である。
【００２７】
従って、請求項４は、前述の［ホ］を達成できる特徴がある。
【発明を実施するための最良の形態】
【００２８】
以下、本発明の実施の態様（形態）を説明する。
【００２９】
図面の説明をすると、図１はヘアカーラの全体を示した斜視図、図２は樹脂性シートの全体を示した斜視図、図３はロッドに捲装した毛髪を加圧することなく、樹脂性シートを介して、ヘアカーラを、ロッドに捲装した毛髪に套嵌保持した状態の斜視図、図４は図３の要部拡大斜視図、図５−１は毛髪を湿らせ、紙を添着した状態の模式図、図５−２は、図５−１の状態を進め、ロッドに捲装する状態の側面図、図５−３は、図５−２の状態を進め、ロッドへの捲装が終了した状態の側面図、図５−４は、図５−３の状態において、樹脂性シートを差込む状態を示した側面図、図５−５は、図５−４の状態を進め、樹脂性シートを套嵌した状態の側面図、図５−６は、図５−５の状態において、毛髪、樹脂性シートに、ヘアカーラを套嵌保持する状態の側面図、図５−７は、図５−６の状態を進め、ヘアカーラを套嵌保持した状態の側面図、図６−１は毛髪に液を塗布し、ロッドに捲装する状態の模式図、図６−２は、図６−１の捲装後におけるロッド、並びに樹脂性シートと、ヘアカーラとの関係を示した側面図、図７は他のヘアカーラの全体を示した斜視図である。尚、樹脂性シートを使用した各実施例を示したが、必要により、この樹脂性シートは省略することも可能である。
【００３０】
図１〜図６−２に示したヘアカーラの構造を説明すると、１は一枚の樹脂素材で構成する可撓性のヘアカーラ本体であり、この一例では、一枚の樹脂素材の両側の自由端１ａが接離可能である（図５−６参照）。このヘアカーラ本体１には、発熱体２が設けられている（この一例では、発熱体２が、ヘアカーラ本体１に埋設されている）。そして、この発熱体２にはコード線３が接続されているとともに、このコード線３の自由端３ａには、電源接続部５が設けられる。また、このヘアカーラ本体１（後述するヘアカーラ）は、ロッド１０に捲装された人Ｈの毛髪Ｈ１に加圧することなく、ロッド１０に捲装された人Ｈの毛髪Ｈ１を套嵌保持できる可撓性を備えている。従って、少なくとも、前述の［イ］、［ロ］の効果を達成できる。さらに人Ｈに優しいヘアカーラを提供できる。尚、ヘアカーラ本体１の自由端１ａの反対側で、かつその外周面１ｂには、適宜間隔Ｓをもって、対の摘み６が設けられ、この間隔Ｓに、前記コード線３が設けられる構造とし、少なくとも、前述の［ト］の実益が図れる。また、材料の節約と、軽量化が図れる特徴と、又は使用が簡便で、人Ｈに優しい、ヘアカーラを提供できる。
【００３１】
前述したヘアカーラ本体１と、このヘアカーラ本体１に設けた発熱体２と、この発熱体２に接続したコード線３、並びにこのコード線３に接続した電源接続部５で、ヘアカーラＡを構成する。
【００３２】
図中８は可撓性の樹脂性シートで、その一方の先端部８ａが、差込み側として利用するために、細幅とするとともに、少し捻りを設けた構造である。従って、この細幅と、捻りを設けた構造を利用し、ロッド１０（加熱しないロッドであり、ミンクロッド、木製・樹脂性ロッド、ロングロッド、スリット付きロッド、穴開きロッド等の各種の構造及び／又は素材のロッドが採用できる）に毛髪Ｈ１を捲装した後に、このロッド１０と毛髪Ｈ１とを固定するゴム１１に、可撓性の樹脂性シート８の先端部８ａを差込み、樹脂性シート８で、毛髪Ｈ１とロッド１０を被嵌し、その上に、ヘアカーラＡを套嵌する施術方法である。従って、この樹脂性シート８を採用することで、前述の［ヘ］の効果であるヘアカーラＡへの液の付着・人Ｈ（皮膚の汗腺や皮脂腺からの分泌物、垢等）及び／又は毛髪Ｈ１（分泌物、フケ、汚れ等）等による汚れ及び／又は病気の感染防止と、又は毛髪Ｈ１の加湿及び／又はパーマのかかりを良くすること、並びにこのヘアカーラＡへの液の付着、前記汚れによる劣化等の弊害回避と、漏電防止、その他の事故防止等が図れる実益がある。そして、この樹脂性シート８を透明にすることで、毛髪Ｈ１の湿り状態、液の付着状態、又はパーマのかかり具合等をチェックでき、有益である。
【００３３】
次に、本発明の施術の好ましい一例を以下に説明すると、図５−１〜図５−７おいて、毛髪Ｈ１を湿らせて施術する場合には、湿らせた毛髪Ｈ１の先端部に、紙Ｂを添着し（毛髪Ｈ１がバラバラになることを防止し、かつ施術を簡易かつ確実にする）、その後、紙Ｂを基点にして、ロール１０に順次、捲装する状態を図５−２に示している。そして、このロッド１０への捲装が終了した状態が図５−３となる。続いて、毛髪Ｈ１とロッド１０を、ゴム１１で固定し、このゴム１１に、前述の如く、樹脂性シート８を差込み、かつ套嵌した状態が、図５−４〜図５−５に示されている。以上のようにして、毛髪Ｈ１に、樹脂性シート８を套嵌保持した後に、ヘアカーラＡで套嵌保持する状態が図５−６であり、その完了した状態で、かつ毛髪Ｈ１に加圧することなく、ヘアカーラ本体１（ヘアカーラＡ）の可撓性を介して、ロッド１０に捲装した毛髪Ｈ１を套嵌保持した状態が図５−７に示されているが、この際に、ヘアカーラ本体１の可撓性を介して、自由端１ａを矢印方向に拡開し、樹脂性シート８の上を、確実かつ僅かな指Ｈ３の力で、跨架できる特徴があり、美容師の疲労の軽減と、女子でも安全で容易な作業となり得る実益がある。また、ヘアカーラＡの対の摘み６を、それぞれ湾曲形状とする（湾曲形状部６ａを形成する）ことで、さらに指Ｈ３で摘み６を押圧しやすくなり、よりヘアカーラ本体１の自由端１ａを拡開しやすくなる。そして、その後の施術は、従来と同様であるが、場合により、ヘアカーラ本体１の外周面１ｂに、断熱材及び／又は断熱性シート（断熱材とする）を添着し、さらに湿度と温度が逃げるのを防ぐこともあり得る。そして、本発明では、ヘアカーラ本体１に可撓性を付与することと、その対の自由端１ａを確実に、樹脂性シート８で覆われロッド１０に捲装された毛髪Ｈ１に添接することで、加温（加熱）の向上と、漏熱・漏湿の防止と、施術の向上等を図り、資源の有効利用と、コストの低廉化を図ること等を意図する。そして、この特徴は、断熱材シートを添着する施術は、極めて、顕著であり、有益である。また、図６−１、図６−２おいて、毛髪Ｈ１に液の塗布を施して施術する場合には、図６−１の如く、紙Ｂを用いずに、液が付着した毛髪Ｈ１をロッド１０に順次捲装していき、図６−２に示した状態で完了であるが、その施術は、前述の図５−３〜図５−７に準ずる。
【００３４】
そして、本発明では、樹脂性シート８で被嵌され、毛髪Ｈ１を捲装したロッド１０の上からヘアカーラＡを套嵌保持することによって、毛髪Ｈ１を先端Ｈ１０から捲装するために、ヘアカーラＡの熱が直接毛髪Ｈ１の先端Ｈ１０に伝わることはなく、ロッド１０に最も近くに接する毛髪Ｈ１の先端Ｈ１０に対するダメージの回避、又はカールの過剰なかかりの回避と、頭皮Ｈ２に対する熱傷回避等が図れる実益がある。また、この捲装した毛髪Ｈ１の上に、樹脂性シート８に替わり、ラップ、ビニール（図示せず）等の防湿材を一重又は多重に捲装し、その上に、ヘアカーラＡを介して熱が逃げたり湿度が乾燥することを防止し、適度の温湿度下において、パーマをかけ得ることも可能であって、低温での施術及び／又はコストの低廉化が図れること、さらには良質なカールを確保できること、又は毛髪Ｈ１に優しく、しっとり感のあるパーマが楽しめること、さらにパサつき、チリつきの解消に有効であり、良好なホット系パーマを楽しむことが可能となること、等の多くの特徴を有する。また、この例では、捲装した毛髪Ｈ１に対して、略均等及び／又は多段の加温調整ができ、かつ毛髪Ｈ１の全体にパーマが略均等に付与できること、またこの施術の特性及び／又は施術の特性を発揮することに、何ら不具合が発生しないこと、等の特徴がある。
【００３５】
尚、図示しないが、第一液を付着した毛髪Ｈ１をロッド１０に捲装し、その上から樹脂性シート８を介して、ヘアカーラ本体１（ヘアカーラＡ）を套嵌保持し、加温して第一処理をする。この第一処理をした毛髪Ｈ１に、テストカールをした後に、必要により、洗浄する。そして、その上に、ゴム１１を介して、樹脂性シート８を、この第一処理をした毛髪Ｈ１に套嵌保持する。そして、再度樹脂性シート８の上に、ヘアカーラ本体１を套嵌保持し、加温して、その後、第二液を塗布し、パーマを施術する方法も可能である。その効果は、前述の効果を一層、拡充することが可能となる。尚、図示しないが、毛髪Ｈ１の水分を蒸発させて、パーマを施術することも可能である。
【００３６】
また、コード線３に温度調整手段を付設し、各発熱体２の温度調整を図る構造、また電源接続部５を介して、コード線３に接続されるパーマ施術装置（図示せず）に設けた温度調整手段によって、発熱体２の温度調整を図る構造を自由に選択でき、又は毛髪Ｈ１の箇所、カールに強弱を付けること、又は各人の好みと、状況に対応したパーマが付与できること等の特徴がある。
【００３７】
そして、図７に示した一例は、可撓性のヘアカーラ本体１００（ヘアカーラ本体１と同じ樹脂素材とする）は、樹脂シート１０１に発熱体２を埋設した発熱シート１０２を添着した構造であり、前述の［ホ］を達成できる特徴がある。また、この発熱体２及び／又は発熱シート１０２が故障した場合に、簡易に取替え可能であり、重宝すること、又はこの発熱シート１０２を二層〜複数設ける構造とし、その加温調整と、スピード化を図ることも可能であり、重宝すること、等の実用性を備えている。そして、図示しないが、この添着方法では、可撓性のヘアカーラ本体１００と、発熱シート１０２との間に、断熱材を設けて、効率的な加温を行うことも可能であること、また、前述の効果が期待できること、等の点で、極めて、有益である。この一例におけるその他の施術は、前述の各例に準ずる。
【図面の簡単な説明】
【００３８】
【図１】図１はヘアカーラの全体を示した斜視図
【図２】図２は樹脂性シートの全体を示した斜視図
【図３】図３はロッドに捲装した毛髪を加圧することなく、樹脂性シートを介して、ヘアカーラを、ロッドに捲装した毛髪に套嵌保持した状態の斜視図
【図４】図４は図３の要部拡大斜視図
【図５−１】図５−１は毛髪を湿らせ、紙を添着した状態の模式図
【図５−２】図５−２は、図５−１の状態を進め、ロッドに捲装する状態の側面図
【図５−３】図５−３は、図５−２の状態を進め、ロッドへの捲装が終了した状態の側面図
【図５−４】図５−４は、図５−３の状態において、樹脂性シートを差込む状態を示した側面図
【図５−５】図５−４の状態を進め、樹脂性シートを套嵌した状態の側面図
【図５−６】図５−６は、図５−５の状態において、毛髪、樹脂性シートに、ヘアカーラを套嵌保持する状態の側面図
【図５−７】図５−７は、図５−６の状態を進め、ヘアカーラを套嵌保持した状態の側面図
【図６−１】図６−１は毛髪に液を塗布し、ロッドに捲装する状態の模式図
【図６−２】図６−２は、図６−１の捲装後におけるロッド、並びに樹脂性シートと、ヘアカーラとの関係を示した側面図
【図７】図７は他のヘアカーラの全体を示した斜視図
【符号の説明】
【００３９】
１              ヘアカーラ本体
１ａ            自由端
１ｂ            外周面
２              発熱体
３              コード線
３ａ            自由端
５              電源接続部
６              摘み
６ａ            湾曲形状部
８              樹脂性シート
８ａ            先端部
１０            ロッド
１１            ゴム
１００          ヘアカーラ
１０１          樹脂シート
１０２          発熱シート
Ａ              ヘアカーラ
Ｂ              紙
Ｈ              人
Ｈ１            毛髪
Ｈ１０          先端
Ｈ２            頭皮
Ｈ３            指
Ｓ              間隔